(57)【特許請求の範囲】
【請求項１】
撮影空間内の一以上の被写体を照明手段で照明し、該照明手段で照明されている被写体を撮影手段で撮影して撮影画像を作成し、該撮影画像を編集手段で編集許容して編集画像を作成許容し、前記撮影画像または／および前記編集画像を出力手段で出力する写真撮影編集方法であって、
前記照明手段はストロボ発光体と、複数の拡散体とで構成され、
前記ストロボ発光体は、複数の前記拡散体を配置した配置面に対して閃光を発するよう前記照明手段の内部空間に備えられ、
前記拡散体は、
前記照明手段の正面を構成する下方に傾斜した上段と、垂直な中段と、上方に傾斜した下段の各面ごとに、それぞれ複数配置され、かつ、各面ごとに外観同一形状であり、
略四角形で周囲全体に起立辺が設けられた凸型の形状に形成されるとともに、
前記ストロボ発光体で発した閃光の透過方向に並設される拡散板が各拡散体の配置される部位によって異なる枚数で形成され、
前記ストロボ発光体で発した閃光を前記各拡散体の配置される部位にて異なる拡散力でそれぞれ拡散する
写真撮影編集方法。
【請求項２】
前記透過方向に並設する拡散板同士の間に所定の空間が備えられ、各拡散板により閃光を多段に拡散する
請求項１記載の写真撮影編集方法。
【請求項３】
前記拡散体の拡散力の強い部位が筐体中央側に設けられ、拡散力の弱い部位が筐体周辺側に設けられて、各部位によって閃光をそれぞれ拡散する
請求項１または２記載の写真撮影編集方法。
【請求項４】
撮影空間内の一以上の被写体を照明する照明手段と、
前記照明手段で照明されている被写体を撮影して撮影画像を作成する撮影手段と、
該撮影画像を編集して編集画像を作成許容する編集手段と、
前記撮影画像または／および前記編集画像を出力する出力手段とを備えた写真撮影編集装置であって、
前記照明手段を、
閃光を発するストロボ発光体と、
該ストロボ発光体の閃光を透過して拡散し、複数の拡散体とで構成し、
前記ストロボ発光体を、複数の前記拡散体を配置した配置面に対して閃光を発するよう前記照明手段の内部空間に備え、
前記拡散体を、
前記照明手段の正面を構成する下方に傾斜した上段と、垂直な中段と、上方に傾斜した下段の各面ごとに、それぞれ複数配置し、かつ、各面ごとに外観同一形状とし、
略四角形で周囲全体に起立辺が設けられた凸型の形状に形成するとともに、前記ストロボ発光体で発した閃光の透過方向に並設される拡散板が各拡散体の配置される部位によって異なる枚数で形成し、
前記各拡散体の配置される部位によって閃光の拡散力が異なる構成にした
写真撮影編集装置。
【請求項５】
前記透過方向に並設する拡散板同士の間に所定の空間を備えた
請求項４記載の写真撮影編集装置。
【請求項６】
前記拡散体の拡散力の強い部位を筐体中央側に設け、拡散力の弱い部位を筐体周辺側に設けた
請求項４または５記載の写真撮影編集装置。
【発明の詳細な説明】
【技術分野】
【０００１】
この発明は、例えば被写体を撮影して撮影画像を取得し、この撮影画像に編集許容して編集画像を取得し、この編集画像を出力するような写真撮影編集方法およびその装置に関する。
【背景技術】
【０００２】
従来、写真撮影編集装置は、被写体として利用者を照射するためのストロボ発光体が、主にカメラ付近に複数台設置されている。この写真撮影編集装置は、撮影時に該ストロボから被写体に向けて閃光を発し、該閃光が被写体で反射した反射光をカメラで受光し、撮影画像を取得する。
【０００３】
しかし、個々のストロボ発光体が撮影時に一斉に被写体を照射するため、被写体の陰影が過度になりすぎることがあり、また照明光が片寄ることもある。このため、利用者が満足する撮影画像を得ることは難しいという問題点がある。
【０００４】
この問題点に対して、撮影空間内の壁に光拡散面を備付け、ストロボ発光体による閃光を光拡散面で様々な方向に反射させて被写体を撮影する写真撮影装置が提案されている（特許文献１参照）。これにより、間接照明の形態となって、被写体に影ができない状態、もしくは影ができても気にならない程度の状態での写真撮影を可能にできるとされている。
【０００５】
しかし、この写真撮影装置は、前面から照射される閃光の光量が一律であるため、例えばカメラに被写体が近付いた状態で撮影すると、閃光が被写体を前面から直接照射することになる。このため、前記写真撮影装置は、カメラに近い顔だけが露光過多の写真になってしまうという問題点がある。また、前記写真撮影装置は、直接光より弱くなる反射光を利用しているため、多人数での撮影を想定した場合に、広い撮影空間内と多人数の被写体とを照射するためには光量が不十分になり得るという問題点がある。
【０００６】
【特許文献１】特開２００３−１７７４６１号公報
【発明の開示】
【発明が解決しようとする課題】
【０００７】
この発明は、上述の問題点に鑑み、被写体を美しく撮影することができる写真撮影編集方法およびその装置を提供し、撮影画像に対する利用者の満足度を向上させることを目的とする。
【課題を解決するための手段】
【０００８】
この発明は、撮影空間内の一以上の被写体を照明手段で照明し、該照明手段で照明されている被写体を撮影手段で撮影して撮影画像を作成し、該撮影画像を編集手段で編集許容して編集画像を作成許容し、前記撮影画像または／および前記編集画像を出力手段で出力する写真撮影編集方法であって、前記照明手段はストロボ発光体と、複数の拡散体とで構成され、前記ストロボ発光体は、複数の前記拡散体を配置した配置面に対して閃光を発するよう前記照明手段の内部空間に備えられ、前記拡散体は、前記照明手段の正面を構成する下方に傾斜した上段と、垂直な中段と、上方に傾斜した下段の各面ごとに、それぞれ複数配置され、かつ、各面ごとに外観同一形状であり、略四角形で周囲全体に起立辺が設けられた凸型の形状に形成されるとともに、前記ストロボ発光体で発した閃光の透過方向に並設される拡散板が各拡散体の配置される部位によって異なる枚数で形成され、前記ストロボ発光体で発した閃光を前記各拡散体の配置される部位にて異なる拡散力でそれぞれ拡散する写真撮影編集方法またはその装置であることを特徴とする。
【０００９】
前記撮影空間は、撮影用に利用者に提供する空間を指し、前記撮影手段で撮影可能な範囲の空間、又は、背景部材や出入り口部材等の周景部材で囲繞（若しくは略囲繞）した空間で構成することを含む。  
前記撮影手段は、デジタルカメラ又はデジタルビデオカメラで構成することができる。  
前記編集手段は、利用者にタッチペン又は指でタッチされた座標を取得するタッチパネルやマウス等のポインティングデバイス（座標入力手段）で構成することができる。
【００１０】
前記出力手段は、モノトーン、セピア（ｓｅｐｉａ）トーン又はカラー等で画像を印刷媒体に印刷する印刷手段、画像データを送信する通信手段、又は画像データを記憶媒体に書き込む記憶媒体リーダ／ライタで構成することができる。ここで、印刷手段は、インクジェットプリンタ、昇華型熱転写プリンタや溶融型熱転写プリンタ等の熱転写プリンタ、又はレーザプリンタ等の印刷装置で構成することができる。また印刷媒体は、印刷可能層の裏側に粘着層を備えたシール紙（シール媒体）等、貼付可能媒体で構成することができる。
【００１１】
前記拡散体は、白色半透明のプラスチック板または擦りガラスなど、光を透過しつつ拡散する部材で形成することができる。  
ここで拡散力とは、光を拡散する角度の広さを指し、拡散力が強いとは拡散する角度が広いことを指し、拡散力が弱いとは拡散する角度が狭いことを指す。従って、拡散力が弱い場合、拡散後の光は、ストロボ発光体の光の照射方向中央付近が強く（光量大）その周辺は弱く（光量小）なる。拡散力が強くなればなるほど、拡散後の光は、ストロボ発光体の照射方向中央付近の強さとその周辺の強さの差が小さくなる。拡散力が最大の場合、前記中央付近とその周辺の光の強弱に差がなくなり、拡散板全体から均一の光量で光（面光）を照射できる。
【００１２】
この発明の態様として、前記透過方向に並設する拡散板同士の間に所定の空間を備えることができる。  
またこの発明の態様として、前記拡散体の拡散力の強い部位を筐体中央側に設け、拡散力の弱い部位を筐体周辺側に設けることができる。
【発明の効果】
【００１３】
この発明により、被写体を美しく撮影することができる。
【発明を実施するための最良の形態】
【００１４】
この発明の一実施形態を以下図面と共に説明する。  
図１は、写真シール作成装置１の外観斜視図を示し、図２は写真シール作成装置１の概略側面図を示し、図３は写真シール作成装置１の概略平面図を示す。
【００１５】
写真シール作成装置１は、枠体６で六面体状に囲繞された撮影空間９の前方側（図２の左側）に撮影筐体３が設けられ、撮影空間９の後方側（図２の右側）に白色や緑色や青色などのクロマキー合成に適した色のプラスチックパネルまたはカーテン等で構成される背景部材８が設けられている。
【００１６】
また、撮影空間９の天井部分には、天井中央照明ボックス４、天井後方照明ボックス５、および鉄板に複数の通気穴を穿設した通気板（所謂パンチングメタル）７が前方から後方へこの順で配設されている。この通気板７は、撮影空間９内にこもった熱気を外部に放出できるため、撮影空間９内に熱がこもって利用者に暑く感じさせることを防止している。
【００１７】
また撮影空間９の左右両側には、上下に長い手摺１０が枠体６に沿って撮影空間９側に突出して配設されている。この手摺１０は、平均身長の女子高生の膝丈程度の位置から肩程度の位置まで上下に渡って設けられている。このため、利用者は手摺１０を掴んで様々なポーズで撮影できる。
【００１８】
また、枠体６の外側で撮影筐体３の向こう側には、編集筐体２が設けられている。ここで、撮影筐体とは、分離可能に構成される２つの筐体のうち撮影側に設置される一方の筐体を指し、編集筐体とは、分離可能に構成される２つの筐体のうち編集側に設置される他方の筐体を指す。従って、撮影筐体は、デジタルカメラなどの撮影手段を有する筐体に限らず、撮影手段を有しない筐体であることも含まれる。
【００１９】
図４は撮影筐体３の正面図を示し、図５は撮影筐体３の縦断正面図を示し、図６は照明部１４の概略正面図を示し、図７は拡散板の説明図を示し、図８は図４におけるＡ−Ａ矢視拡大断面図を示し、図９は図４におけるＢ−Ｂ矢視拡大断面図を示す。
【００２０】
撮影筐体３の正面には、図４に示すように上方半分以上の領域に照明部１４が設けられている。照明部１４の中央にはデジタルカメラ１８とディスプレイ１９が設けられており、照明部１４の下方には、右側に上から順に液晶パネル（表示手段）２１、硬貨投入口２２、硬貨排出口２３、および荷物置き棚２４がこの順で設けられている。
【００２１】
ここで、液晶パネル２１は、図１に示すように一方の側部である右側部に表面を斜め上方へ向けて傾斜させて配置し、その傾斜角度を照明部１４の下方照明ボックス１３（図５参照）の表面の傾斜角度と一致させている。また、この液晶パネル２１は、一般に使用される液晶パネルであって、通常の設置形態として横長に設置された際に視点を上方へ移動すると画面が白に転び、視点を下方へ移動すると画面が黒に転ぶものであって、支障なく見える角度の範囲が上方から見る場合の方が下方から見る場合よりも広いものを利用している。そしてこのような液晶パネル２１を、白に転ぶ画面上側（見やすい範囲が広い側）が、写真シール作成機１における他方の側部である左側に位置するように９０度回転させて縦長に設置して利用している。
【００２２】
照明部１４は、図５に示すように仕切板４４，４６により、上段部分が上方照明ボックス１１、中段部分が中央照明ボックス１２、下段部分が下方照明ボックス１３に区分けされて構成されている。
【００２３】
上方照明ボックス１１は、正面以外の周囲が天井板４１、側面板４２，５０、仕切板４４、および背面板４３により囲繞されている。これらの天井板４１、側面板４２，５０、仕切板４４、および背面板４３は、いずれも内側の表面が白色塗装されており、光を反射するように構成されている。したがって、上方照明ボックス１１の内部空間は光反射空間２７として機能する。
【００２４】
上方照明ボックス１１の中央には、拡散板１５，１６に向けて直接光を照射する直接光ストロボ３４が設けられている。この直接光ストロボ３４の左右側方には、反射光により被写体を照明する反射光ストロボ３３，３３が左右対称に配設されており、該反射光ストロボ３３，３３のさらに外側に蛍光灯３１，３１が左右対称に配設されている。
【００２５】
上方照明ボックス１１の正面には、図６に示すように計１０個の拡散板１５，１６が上下２段に配設されている。このうち、普通人の顔位置と同程度の高さ部分に位置する中央側の３個の拡散板、すなわち図６にハッチングで示す上方照明ボックス１１の下段側の中央３つの二重拡散板１６は、図７（Ｂ）の側面断面図に示すように、拡散板５１と拡散板５３が空間５２を隔てて並設された２重構造に形成されている。これにより、図７（Ｂ）に矢印で示すように、閃光を２段階に拡散することができ、被写体（利用者）を照明する際に顔等の陰影が強くなりすぎないように閃光を充分に拡散することができる。
【００２６】
また、拡散板５３は、図７（Ａ）に示すように外形が略四角形であり、図７（Ｂ）に示すように裏面方向に起立した起立辺５４が周囲全体に設けられた凸型の形状に形成されている。これにより、閃光を正面方向だけでなく起立辺５４から周面方向にも照射できるため、複数並設された一重拡散板１５や二重拡散板１６の間に閃光が照射されず影が生じるといったことを抑制できる。
【００２７】
また、上方照明ボックス１１は、図６に示すように、上記二重拡散板１６の左右両側部、および二重拡散板１６の上方部に、７枚の一重拡散板１５が配設されている。これにより、二重拡散板１６の上方と左右両側方との３方を一重拡散板１５で囲繞している。
【００２８】
この一重拡散板１５は、図７（Ａ）に示すように外形が略四角形の拡散板５６の周囲全体に、図７（Ｃ）の側面断面図に示すように裏面方向に起立した起立辺５７を有する形状に形成されている。これにより、正面方向だけではなく起立辺５４から周面方向にも拡散した閃光を照射できるため、複数並設された一重拡散板１５や二重拡散板１６の間に閃光が照射されず影が生じるといったことを抑制できる。そして、この一重拡散板１５により二重拡散板１６より小さく拡散した光を照射できる。
【００２９】
中央照明ボックス１２は、図５に示すように、正面以外の周囲が、側面板５０、仕切板４４，４６，４８、および背面板４３で囲繞されている。これらの側面板４２，５０、仕切板４４，４６、および背面板４３は、いずれも内側の表面が白色塗装されており、光を反射するように構成されている。したがって、中央照明ボックス１２の内部空間は光反射空間２８として機能する。
【００３０】
中央照明ボックス１２の内部には、中央から両側部までの中間点に蛍光灯３２，３２が左右対称に設けられている。また、中央照明ボックス１２の正面には、中央を挟んで左右に２枚ずつ計４枚の一重拡散板１５が配設されている。これにより、蛍光灯３２，３２による連続光を一重拡散板１５で拡散した拡散連続光によって撮影空間９内を照明できる。
【００３１】
下方照明ボックス１３は、正面以外の周囲が仕切板４６、側面板４２，５０、底部仕切板４９、および背面板４３により囲繞されている。これらの側面板４２，５０、底部仕切板４９、および背面板４３は、いずれも内側の表面が白色塗装されており、光を反射するように構成されている。したがって、下方照明ボックス１３の内部空間は光反射空間２９として機能する。
【００３２】
下方照明ボックス１３内の左右側方で中央より下方位置には、反射光で被写体を照射する反射光ストロボ３７が１つずつ左右に配設されている。また、各反射光ストロボ３７に隣接して蛍光灯３８，３８が設けられている。
【００３３】
下方照明ボックス１３の正面には、図６に示すように計８枚の拡散板１５，１６が上下２段に配設されている。このうち、上段側の中央３つの二重拡散板１６は、図７（Ｂ）の側面断面図に示したように、拡散板５１と拡散板５３が空間５２を隔てて並設された２重構造に形成されている。また、下方照明ボックス１３は、上記二重拡散板１６の左側部、および二重拡散板１６の下方部に、５枚の一重拡散板１５が配設されている。
【００３４】
このような上方照明ボックス１１、中央照明ボックス１２、および下方照明ボックス１３の構成により、被写体を美しく撮影できる。すなわち、図８のＡ−Ａ矢視（図４）拡大断面図に示すように、直接光ストロボ３４から矢印に示すように照射された閃光は、二重拡散板１６で充分に拡散され、デジタルカメラ１８に近い撮影空間９の中央付近でアップ撮影する利用者Ｍ１（図２参照）を程よく照明することができる。また、直接光ストロボ３４からの閃光を一重拡散板１５で拡散した拡散光は、二重拡散板１６による拡散よりも拡散度合いが少ないため、デジタルカメラ１８から遠い撮影空間９の後方で全身撮影する利用者Ｍ３（図２参照）を充分に照明することができる。
【００３５】
また、図９のＢ−Ｂ矢視（図４）拡大断面図に示すように、反射光ストロボ３３，３７から照射した閃光は、天井板４１、背面板４３、底部仕切板４９等で反射し、一重拡散板１５や二重拡散板１６で拡散されて被写体を照明する。この場合も、二重拡散板１６で拡散された拡散光は一重拡散板１５に比べて広く拡散される。
【００３６】
撮影空間９には、図１０の斜視図に示すように、多段台８５が底面に設置され、その上にポーズ台８０が設置されている。また撮影空間９の後方に配設された背景部材８は、左右両端を前方の撮影筐体３側へ曲げた平面視略コ字型の１枚のカーテンで形成されており、その曲げ部分８ａは丸められて湾曲している。このように湾曲形成することで、撮影画像の編集でクロマキー合成をする際に稜線が現れてしまうことを防止し、クロマキー合成の精度を向上させている。
【００３７】
また、多段台８５、ポーズ台８０、および背景部材８は、白色や緑色や青色などのクロマキー合成に適した色で一色に統一して構成されている。これにより、クロマキー合成を容易にしている。
【００３８】
多段台８５は後方が高くなる２段の階段状に形成されている。多段台８５の上段部分には、前後方向略中央にポーズ台８０を配置する構成としており、このポーズ台８０を配置した状態で、ポーズ台８０の前方の２段目部８６、およびポーズ台８０の後方の４段目部８８が位置する構成となっている。
【００３９】
４段目部８８は、奥まで活用できて利用者が４人横並びに並ぶことができ、該利用者が１７０ｃｍ程度の身長であればデジタルカメラ１８による撮影画像に頭の上端までしっかり入る位置に構成されている。
【００４０】
３段目に該当するポーズ台８０は、利用者が二人横並びに腰掛けられる高さの腰掛部８２を左右方向中央部に設け、その左右両隣に、前記腰掛部８２に利用者が横向けに座った場合に足を乗せる台となる足載せ部８１をそれぞれ備えている。
【００４１】
この足載せ部８１は、この上に載せた利用者の足全体がデジタルカメラ１８による撮影画像に充分入る位置で、かつ、デジタルカメラ１８による撮影画像に背景部材８の下端と４段目部８８の後端部の接続部分が写らないようにする位置に設けられている。
【００４２】
これにより、クロマキー合成の際に最も残りやすい後方下角を撮影画像に写らなくして、クロマキー合成を良好に実行できるようにしている。特に、ポーズ台８０における湾曲部Ｒは、撮影空間９の後方下角より照明部１４、天井中央照明ボックス４、および天井後方照明ボックス５に近いため、充分に照明してクロマキー合成に良好な環境での撮影ができる。
【００４３】
また、ポーズ台８０における各角辺は、全て角が丸められて半径略５ｍｍ以下の湾曲部Ｒが設けられている。この湾曲部Ｒがあることにより、切り立った角とした場合のように撮影画像に線が出ることや角部が破損することを防止できる。また、湾曲部Ｒの半径を略５ｍｍ以下としていることにより、照明部１４等による照明光が湾曲部Ｒで光を反射することを防止できる。つまり、湾曲部Ｒでの反射光がクロマキー合成の妨げになるということは防止できる。
【００４４】
２段目部８５は、前記腰掛部８２に腰掛けた利用者の前にさらに利用者が１列横並びに立てる程度の前後長さに形成されている。この２段目部８５は、利用者が３人横並びに並んでも、身長が１６０ｃｍ程度であればデジタルカメラ１８による撮影画像に３人全員が入る構成になっている。  
１段目部８６は、利用者が左右方向に３人横並びで撮影してもデジタルカメラ１８による撮影画像に３人全員が入る構成になっている。  
従って、多人数であっても全員が撮影画像のなかにきちっと入る良好な集合写真を容易に作成できる。
【００４５】
以上の構成により、各ストロボ３３，３４，３７によって様々な照明効果が得られる。  
具体的には、上段の直接光ストロボ３４により、デジタルカメラ１８に近づく被写体の鼻筋と、中距離の被写体の髪を明瞭に写し出すことができる。  
また、反射光ストロボ３３，３７により、撮影時に撮影空間９内を適度に照射し、均一な光を提供することができる。
【００４６】
また、液晶パネル２１を、撮影筐体３の一方の側部に、画面が白に転ぶ方（見やすい範囲が広い方）を他方の側部へ向けて配設したため、図１１の平面図にハッチングで示す領域が視認可能領域となり、利用者Ｍ４，Ｍ５は左右のどの位置にいても液晶パネル２１に表示された画像を明瞭に視認できる。
【００４７】
また、液晶パネル２１の設置角度は、左右方向は傾けず上下方向のみ傾斜させ、この傾斜角度を下方照明ボックス１３の拡散板１５，１６の傾斜角度と一致させたため、液晶パネル２１を左右方向にも傾けて設置するよりコンパクトに設置でき、またデザインの統一感が増し、さらに照明への影響を極力避けることができる。
【００４８】
図１２はデジタルカメラ１８近傍の拡大正面図を示し、図１３は、デジタルカメラ１８近傍の拡大縦断側面図を示す。  
デジタルカメラ１８は、図１３に示すように少し下方（例えば１５°程度）に傾斜して編集筐体２に配設され、該デジタルカメラ１８の下方にはライブビュー用のディスプレイ（表示手段）１９が表示面を上方へ向けて傾斜して設けられている。
【００４９】
この編集筐体２のデジタルカメラ１８の手前上面には、編集筐体２内に設けられた直接光ストロボ３５から斜め下方へ向けて照射された光を拡散する拡散板５８が設けられている。この中段の直接光ストロボ３５により、光の不足しがちなデジタルカメラ１８周辺を照射することができる。  
また、この編集筐体２のデジタルカメラ１８の手前下面には、編集筐体２内に設けられた直接光ストロボ３６から斜め上方へ向けて照射された光を拡散する拡散板５９が設けられている。
【００５０】
そして、撮影筐体３には、このデジタルカメラ１８とディスプレイ１９とを上下左右の四方から囲繞するように４つのレフ板６０が配設されている。これらのレフ板６０は、表面が白色塗装された細長い板金によって形成されており、図１３に示すようにデジタルカメラ１８から撮影空間９（図２参照）側に向かって外側に広がるように傾斜して配置されている。そして、左右と下部の３枚のレフ板６０の中央には、レフ板６０の長手方向と同一方向に細長くレフ板６０より一回り小さい形状に形成された拡散板５５がそれぞれ設けられている。従って、左右と下部の３枚のレフ板６０は、拡散板５５を支持する支持部材としても機能する。
【００５１】
以上の構成により、直接光ストロボ３６（図５）が上方のレフ板６０に向けて照射した閃光をレフ板６０で反射等することができ、被写体の目にキャッチアイ効果を与えることができる。
【００５２】
また、ディスプレイ１９を上方へ向けて傾斜させることで、しゃがんだ状態で撮影する利用者は、レフ板６０や拡散板５５，５８，５９の存在によって奥まって配置されているディスプレイ１９の下端まで充分に視認することができる。つまり、仮にディスプレイの表面を真正面に向けて配置すると、下方に設けられたレフ板６０や拡散板５５，５８，５９の配置面とディスプレイの表面とが略直角を成して側面視Ｌ型となり、しゃがみこんで下から見る利用者には、ディスプレイの下端が死角となって視認できなくなる。しかし、上述したように傾斜配置することで、このような死角をなくすことができ、図１３に矢印Ｉで示すように、しゃがんだ状態の利用者であってもディスプレイ１９の下端まではっきりと視認することができる。
【００５３】
図１４（Ａ）は、通常状態（使用状態）の天井照明ボックス４，５近傍の概略縦断右側面図を示し、図１４（Ｂ）は、メンテナンス状態（ストロボ交換時）の天井照明ボックス４，５近傍の概略縦断右側面図を示す。
【００５４】
天井中央照明ボックス４は、撮影空間９の横幅一杯の大きさで（図３参照）、前後幅が撮影筐体３と同程度の大きさに形成されている。そして、閃光の照射方向を下方斜め後方に向けた直接光ストロボ６１が中央前方に１つ設けられており、その下方位置に、側面視略く字型に形成された二重拡散板６２が設けられている。該二重拡散板６２は、板状部材を屈曲させて、下方側が水平面に、上方側が前方（図１４の左側）から後方へ向けて上方に傾斜した傾斜面になるように一体的に形成されており、その屈曲部が写真シール作成装置１に枢着されている。これにより、図１２の使用状態の位置から回動して図１３のメンテナンス状態の位置にして内部を開放することができる。従って、作業員は拡散板を何枚も取り外す必要がなく、二重構造の二重拡散板６２を１回の作業で取り外して直接光ストロボ６１を容易に取替え等できる。
【００５５】
二重拡散板６２の上方の傾斜面には、屈曲部の反対側に１重拡散板６３が延設されている。また、二重拡散板６２の上側の板状部の縁に折り曲げ部を設けることで、二重拡散板６２が曲がらないようにしている。
【００５６】
天井後方照明ボックス５は、撮影空間９の横幅一杯の大きさで（図３参照）、前後幅が撮影筐体３と同程度の大きさに形成されている。そして、閃光の照射方向を下方斜め後方に向けた直接光ストロボ６６が左右両側部の前方に各１つずつ計２つ設けられており、その下方位置に、前方から後方へ向けて上方に傾斜した拡散板６７，６８が設けられている。該拡散板６７は、天井後方照明ボックス５の下面全体に渡って設けられており、拡散板６８は、天井後方照明ボックス５の後方側の一部にのみ前記拡散板６７と同一の傾斜角度で設けられている。これにより、拡散板６８の存在しない部分では直接光ストロボ６６の閃光を拡散板６７が一段拡散して照射し、拡散板６８の存在する部分では直接光ストロボ６６の閃光を、拡散板６７が１段拡散して照射する部分と、拡散板６７，６８が２段に拡散して照射する部分が生じる。
【００５７】
以上の構成により、様々な照明効果を得ることができる。  
具体的に説明すると、天井の前方にある直接光ストロボ６１により、前列に位置する被写体の髪をメリハリあるように照射し、後列に位置する被写体を照射することができる。
【００５８】
また、天井の後方にある直接光ストロボ６６により、最後列の被写体を照射し、室内の照射をより完全にすることができる。  
また、直接光ストロボ６６は左右に２つ配設されているため、例えば右側に太陽のあるシーンを想定した撮影で、右側の直接光ストロボ６６の照射強度を強くし、左側の直接光ストロボ６６の照射強度を弱くするといったバリエーション豊かな照明環境を提供できる。
【００５９】
また、天井中央照明ボックス４および天井後方照明ボックス５は、撮影空間９と同程度の幅を持ち、かつ直接光ストロボ６１，６６の照射角度に対して平行に設置されているので、撮影空間９内をより均一に照射することができる。
【００６０】
以上に説明した天井中央照明ボックス４、天井後方照明ボックス５、上方照明ボックス１１、中央照明ボックス１２、および下方照明ボックス１３の構成により、撮影空間９内を均一な光で満たすことができ、クロマキー処理においても理想的な環境を提供できる。
【００６１】
図１５（Ａ）は、編集筐体２の右側面図を示し、図１５（Ｂ）は、編集筐体２の背面図を示す。  
編集筐体２は、側面に編集用の液晶パネル（表示手段）７２が設けられ、その両横に液晶パネル７２に重ねて設けられたタッチパネルに書き込むための操作ペン７１，７１が設けられている。  
編集筐体２の下方位置には、左側に写真シール排出口７４が設けられ、右側に硬貨投入口７３とコイン排出口７５とが上下にこの順で配設されている。  
編集筐体２は、左右対称に構成されており、前記操作ペン７１、液晶パネル７２、硬貨投入口７３、写真シール排出口７４、およびコイン排出口７５は、編集筐体２の左右両面に設けられている。
【００６２】
以上の構成により、編集筐体２の左右両側でそれぞれ別個に撮影画像の編集を許容し、編集画像をプリントした写真シールを写真シール排出口７４から排出することができる。
【００６３】
図１６は、写真シール作成装置１の構成を示すブロック図であり、図１７は、写真シール作成装置１の撮影部の構成を示すブロック図である。
【００６４】
写真シール作成装置１は、バス１２１に接続して、制御部１３１、制御情報記憶部１３２、画像データ保持部１３３、プレイ情報記憶部１３４、利用者情報記憶部１３５、撮影部用硬貨部１４１、撮影部１４２、背景部１４３、編集部１４４、印刷部１４６、通信部１４７、およびドライブ１４８が設けられている。
【００６５】
制御部１３１は、ゲーム管理部１５１、硬貨処理部１５２、撮影処理部１５３、移動案内処理部１５４、編集処理部１５５、印刷処理部１５６、事後接客処理部１５７、および計時部１５８により構成されている。  
ゲーム管理部１５１は、ゲームに関する管理を行う部分であり、照明、撮影、編集に関する制御を行う。  
硬貨処理部１５２は、硬貨投入口７３に投入された硬貨を処理する部分であり、投入金額の把握を行う。  
撮影処理部１５３は、撮影を行う部分であり、デジタルカメラ１８による撮影を制御する。  
移動案内処理部１５４は、利用者が移動すべき編集箇所を液晶パネル２１への表示や音声により案内する処理を行う。  
編集処理部１５５は、液晶パネル７２への表示と操作ペン７１でのタッチ入力による画像編集を許容する処理を行う。  
印刷処理部１５６は、シール紙への画像の印刷を行って完成した写真シールシートを写真シール排出口７４から排出する処理を行う。  
事後接客処理部１５７は、ミニゲームや画像情報の送信といった事後接客を実行する。  
計時部１５８は、撮影や編集において利用者に入力させる場面で入力許容する制限時間の経過を計時する。
【００６６】
制御情報記憶部１３２は、写真シール作成装置１の各種制御に関する制御情報を記憶している。  
画像データ保持部１３３は、撮影画像や編集画像といった画像のデータを保持している。  
プレイ情報記憶部１３４は、プレイ中の情報、たとえばコースや写り、出力枚数などの利用者に選択させる情報を記憶する。  
利用者情報記憶部１３５は、利用者に関する情報を記憶する。
【００６７】
撮影部用硬貨部１４１は、硬貨投入口２２から投入された硬貨を処理する部分であり、投入金額の把握を行う。  
撮影部１４２は、各ストロボ３３，３４，３５，３６，３７，６１，６６による照明とデジタルカメラ１８による撮影を実行する。  
背景部１４３は、例えば昇降機能付きのロールカーテンで構成される背景部材８が複数設けられている場合に、背景として使用するロールカーテンを下ろし、それ以外のロールカーテンを巻き取るといった制御を行う。
【００６８】
編集部１４４は、撮影画像に対する利用者の編集を許容する。  
印刷部１４６は、編集画像を適宜のレイアウトに配置した印刷画像をシール紙に印刷して写真シールシートを作成する。
【００６９】
通信部１４７は、インターネットなどのネットワーク１６１を介して携帯電話機などの他の装置に画像情報を送信する。  
ドライブ１４８は、フレキシブルディスクなどのリムーバブルメディア１６２に対して情報の読み書きを実行する。
【００７０】
前記撮影部１４２は、図１７に示すように、バス１２１に接続されて音声出力制御部１７１、照明制御部１７２、カメラ制御部１７３、デジタルカメラ１８、表示制御部１７４、およびタッチパネル制御部１７８が設けられており、音声出力部３７、ストロボ３３，３４，３５，３６，３７，６１，６６、ディスプレイ１９、液晶パネル２１、ＶＲＡＭ１７５、およびタッチパネル１７７が設けられている。
【００７１】
音声出力制御部１７１は、音声出力部３７からの音声出力を制御する。  
照明制御部１７２は、ストロボ３３，３４，３５，３６，３７，６１，６６による閃光照射のタイミングと照射強度を制御する。この閃光を発する際に照明制御部１７２は、利用者に選択されたコースや写り設定により、複数段階（例えば１５段階）に照射強度を設定できる各ストロボ３３，３４，５３，３６，３７，６１，６６についてそれぞれ照射強度を異ならせ、様々な照明効果を演出する。例えば陽が右から射すコンテンツ（コースおよび写り設定）を利用者（顧客）が選択すると、右側に存在するストロボ３３，３７，６６（図３、図４参照）の照射強度が強くなるように設定信号を送信して調整する。
【００７２】
カメラ制御部１７３は、デジタルカメラ１８の動作を制御する。  
表示制御部１７４は、ディスプレイ１９および液晶パネル２１の表示を制御する。
【００７３】
ＶＲＡＭ１７５は、表示制御部１７４から受け取った画像情報を記憶し、必要に応じて記憶している画像情報を表示制御部１７４に送信する。  
タッチパネル１７７は、利用者にタッチされた入力情報を表示制御部１７４に送信する。
【００７４】
表示制御部１７４は、撮影画像や編集画像などの画像に基づく表示を制御する。  
タッチパネル制御部１７８は、前記表示制御部１７４を制御する。  
音声出力部３７は、音声案内などを必要に応じて実行する。
【００７５】
以上の構成により、各ストロボ３３，３４，３５，３６，３７，６１，６６の照明強度を他段階に設定して様々な照明効果を得ることができ、この照明効果を得た撮影画像を取得することができる。また、撮影画像に対しては編集を行うことができ、この編集画像をレイアウトに配置してシール紙に印刷し、写真シールシートを提供することができる。
【００７６】
図１８は、写真シール作成装置１の制御部１３１が実行する全体動作のフローチャートを示し、図１９は、編集画面の画面イメージ図を示す。  
制御部１３１は、撮影設定処理で撮影の設定を行い（ステップＳ１）、撮影処理を実行し（ステップＳ２）、移動案内処理で２つある編集空間のいずれか一方へ利用者を誘導し（ステップＳ３）、編集処理を実行し（ステップＳ４）、印刷処理および事後接客処理を実行し（ステップＳ５）、写真シールシートを排出し（ステップＳ７）、処理を終了する。
【００７７】
ステップＳ４の編集処理では、図１９に示す編集画面を液晶パネル７２に表示し、左編集用画面２０２と右編集用画面２０３とに画面を２分割し、各編集用画面２０２，２０３でそれぞれ個別に編集を許容する。
【００７８】
利用者は、各編集用画面２０２，２０３で、サムネイル画像２１２，２２２で編集する画像（撮影画像または編集画像）を選択し、この選択した画像が大きく表示された編集画面２１１，２２１にツール群２１３，２２３を使用して編集することができる。ツール群２１３，２２３は、ペンツール、文字ツール、スタンプツール等のツールで構成されており、色、模様、形状など様々な選択ができるように構成されている。  
以上の動作により、利用者は、照明付きの撮影をし、撮影画像に編集し、この編集画像をシール紙に印刷した写真シールシートを取得することができる。
【００７９】
図２０および図２１は、撮影処理にて制御部１３１が実行する動作のフローチャートを示し、図２２〜図２４は撮影処理にて液晶パネル２１（図４参照）に表示する画面の説明図を示す。  
撮影処理に入ると、制御部１３１は、投入された硬貨を硬貨処理部１５２で認識し（ステップＳ１１）、図２２（Ａ）に示すコース決定案内画面を撮影モニタとしての液晶パネル２１に表示する（ステップＳ１２）。このコース決定案内画面では、ノーマル撮影とお勧め撮影と大人数撮影の３種類のコースを選択可能に表示する。
【００８０】
コースが選択されるか制限時間が経過すると、制御部１３１は、図２２（Ｂ）に示す写り決定画面を液晶パネル２１に表示する（ステップＳ１３）。この写り決定画面では、撮影画像における陰影を目立たせないふんわり撮影と、撮影画像における陰影を目立たせるくっきり撮影の２種類の写り設定からいずれか一方を選択させる。
【００８１】
写り設定が選択されるか制限時間が経過すると、制御部１３１は、図２３（Ａ）に示すコンテンツ選択画面を液晶パネル２１に表示し、コンテンツを選択させる（ステップＳ１４）。
【００８２】
制御部１３１は、規定の数のコンテンツが決定されるまで待機し（ステップＳ１５：ＮＯ）、規定の数のコンテンツが決定されると（ステップＳ１５：ＹＥＳ）、図２３（Ｂ）に示す撮影コンテンツ画面を液晶パネル２１に表示し、私用するコンテンツを利用者に確認させる（ステップＳ１６）。
【００８３】
制御部１３１は、各ストロボ３３，３４，３５，３６，３７，６１，６６と蛍光灯３１，３２との照射強度を設定して天井中央照明ボックス４、天井後方照明ボックス５、上方照明ボックス１１、中央照明ボックス１２、および下方照明ボックス１３による照明の演出をした上でデジタルカメラ１８による撮影を実行して撮影画像を取得する（ステップＳ１７）。
【００８４】
制御部１３１は、ディスプレイ１９および液晶パネル２１に撮影画像をプレビュー表示し（ステップＳ１８）、コンテンツ分の撮影が終了するまでステップＳ１６からの処理を繰り返す（ステップＳ１９：ＮＯ）。
【００８５】
コンテンツ分の撮影が終了すると（ステップＳ１９：ＹＥＳ）、制御部１３１は、コース分の撮影を行うまでステップＳ１４からの処理を繰り返す（ステップＳ２０：ＮＯ）。
【００８６】
コース分の撮影が終了すると（ステップＳ２０：ＹＥＳ）、制御部１３１は、保存した撮影画像を液晶パネル２１に表示すると共に、図２４に示す画像選択画面を液晶パネル２１に表示する（ステップＳ２１）。
【００８７】
制御部１３１は、印刷する撮影画像が規定枚数（例えば８枚）選択されなければ（ステップＳ２２：ＮＯ）、印刷画像選択時間があらかじめ定めた設定時間（制限時間）だけ経過するまで（ステップＳ２３：ＮＯ）、選択を許容する。
【００８８】
制御部１３１は、制限時間が経過すると（ステップＳ２３：ＹＥＳ）、全ての画像を選択し（ステップＳ２４）、ステップＳ２５に処理を進める。  
前記ステップＳ２２で規定枚数の画像が選択されるか（ステップＳ２２：ＹＥＳ）、前記ステップＳ２４の後に、制御部１３１は、選択された画像を画像データ保持部１３３に保存する（ステップＳ２５）。
【００８９】
以上の撮影処理により、様々な照明効果で撮影することができ、利用者に満足度の高い撮影画像を提供することができる。
【００９０】
図２５は、移動案内処理にて制御部１３１が実行する動作のフローチャートを示し、図２６および図２７は、移動案内処理にて液晶パネル２１（図４参照）に表示する画面の説明図を示す。
【００９１】
移動案内処理に入ると、制御部１３１は、空いている編集箇所（この実施形態では右側の液晶パネル７２の前の空間と左側の液晶パネル７２の前の空間）を検索する（ステップＳ３１）。
【００９２】
空いている編集箇所があれば（ステップＳ３２：ＹＥＳ）、制御部１３１は、図２６に示す移動指示案内画面を液晶パネル２１に表示し（ステップＳ３３）、移動案内処理を終了する。
【００９３】
空いている編集箇所がなければ（ステップＳ３２：ＮＯ）、制御部１３１は、フラグＭが１か否か判定し、フラグＭが１であれば（ステップＳ３４：ＹＥＳ）、図２７（Ａ）に示す編集空き待ち案内画面を液晶パネル２１に表示し（ステップＳ３５）、ステップＳ３１に処理を戻す。
【００９４】
フラグＭが１でなければ（ステップＳ３４：ＮＯ）、制御部１３１は、図２７（Ｂ）に示すマジックスタンプ撮影案内画面を液晶パネル２１に表示し、マジックスタンプ用の写真撮影を行う旨を報知する（ステップＳ３６）。ここでマジックスタンプとは、この写真撮影で撮影した撮影画像を既に撮影している撮影画像にクロマキー合成できる機能を指す。
【００９５】
制御部１３１は、クロマキー合成に適した照明で撮影を実行し（ステップＳ３７）、撮影画像を撮影画像情報として画像データ保持部１３３に保存する（ステップＳ３８）。
【００９６】
制御部１３１は、規定枚数の撮影を実行するまでステップＳ３７からの処理を繰り返し（ステップＳ３９：ＮＯ）、規定枚数の撮影が終了すれば（ステップＳ３９：ＹＥＳ）、フラグＭに１を代入してステップＳ３１に処理を戻す。
【００９７】
以上の動作により、各利用者によって編集処理に費やす時間が異なっても、撮影終了した利用者を空いている編集箇所へ効率よく案内することができる。そして、編集箇所が空いていない場合であっても、待ち時間の間にコンテンツを提供することができ、利用者は待ち時間発生によるストレスを感じず特別サービス（この実施形態ではマジックスタンプの作成）によって満足することができる。
【００９８】
図２８は、印刷処理および事後接客処理にて制御部１３１が実行する動作のフローチャートを示し、図２９〜図３１は、印刷処理および事後接客処理にて液晶パネル７２（図１５参照）に表示する画面の説明図を示す。
【００９９】
印刷処理および事後接客処理に入ると、制御部１３１は、図２９（Ａ）に示す出力枚数入力画面を編集モニタとしての液晶パネル７２に表示する（ステップＳ５１）。この出力枚数入力画面は、１枚追加２００円、３枚追加６００円、５枚追加１０００円、７枚追加１４００円、９枚追加１８００円といったように、追加する出力枚数と該追加に必要な料金とを表示した追加枚数選択ボタンを複数種類表示し、この追加枚数選択ボタンを利用者に押下させることで出力枚数を決定する。中止ボタンが押下されるか、制限時間が経過すると、あらかじめ設定されている枚数（例えば１枚）に決定する。
【０１００】
利用者によって追加枚数選択ボタンが押下されて複数枚出力することが選択されると（ステップＳ５２：ＹＥＳ）、制御部１３１は、図２９（Ｂ）に示す追加料金催促画面を液晶パネル７２に表示し、利用者に対して不足分の硬貨の投入を促す。
【０１０１】
必要な料金が投入されるか、時間切れとなって出力枚数を投入済み料金に対応する枚数に決定するか、前記ステップＳ５２で複数枚が選択されなかった場合（ステップＳ５２：ＮＯ）に、制御部１３１は、図３０（Ａ）に示すレイアウト決定画面を液晶パネル７２に表示する（ステップＳ５４）。このレイアウト決定画面では、複数種類の編集画像を大きさや枚数を異ならせて配置したレイアウトを複数種類表示し、このレイアウトを利用者に選択させて写真シールシートの分割数と画像配置を決定する。
【０１０２】
制御部１３１は、レイアウトの選択と次へボタンの押下によってレイアウトが決定されるか、制限時間が経過して選択中のレイアウトに決定するまで待機し（ステップＳ５５：ＮＯ）、レイアウトが決定すれば（ステップＳ５５：ＹＥＳ）、決定したレイアウト情報に従って印刷画像情報を作成し保存する（ステップＳ５６）。この印刷画像情報は、複数の編集画像や撮影画像をレイアウトに沿って配置した画像の情報で構成されている。
【０１０３】
前記ステップＳ５２で決定した出力枚数分の印刷画像情報が作成できていなければ（ステップＳ５７：ＮＯ）、制御部１３１は、図３０（Ｂ）に示すレイアウト変更の問合わせ案内画面を液晶パネル７２に表示し（ステップＳ５８）、別のレイアウトでの印刷出力も行うか選択させる。
【０１０４】
制御部１３１は、レイアウトを変更すると選択されると（ステップＳ５９：ＹＥＳ）、ステップＳ５４に処理を戻し、レイアウトを変更しないと選択されると（ステップＳ５９：ＮＯ）、ステップＳ５６に処理を戻す。
【０１０５】
前記ステップＳ５７で出力枚数分の印刷画像情報が作成できていれば（ステップＳ５７：ＹＥＳ）、制御部１３１は、保存した印刷画像情報を読み出し、この印刷画像情報を印刷部１４６でシール紙に印刷して作成した写真シールシートを写真シール排出口７４から排出し（ステップＳ６０）、処理を終了する。
【０１０６】
この印刷処理と並行して、制御部１３１は、図３１に示すミニゲームか画像送信の選択案内画面を液晶パネル７２に表示する（ステップＳ６１）。そして、制御部１３１は、ミニゲームが選択されると（ステップＳ６３：ＹＥＳ）、液晶パネル７２を介してミニゲームを実行し（ステップＳ６３）、画像送信が選択されると（ステップＳ６３：ＮＯ）、撮影画像情報や編集画像情報や印刷画像情報などの画像情報を、携帯電話機などの適宜の装置に送信する（ステップＳ６４）。
【０１０７】
以上の動作により、利用者は様々な演出効果のある照明環境の下で撮影でき、この撮影画像を編集して編集画像を作成し、この編集画像を配置してシール紙に印刷した写真シールシートを取得することができる。
【０１０８】
撮影の際には、二重拡散板１６，６１、および二重に配置された拡散板６７，６８により、閃光を大きく拡散して被写体を全体的に照明することができ、陰影を強くしすぎず美しく撮影することができる。
【０１０９】
撮影筐体３に設けた照明部１４は、二重拡散板１６を中央付近に配置したため、全身撮影に比べてデジタルカメラ１８から近距離で上半身撮影する被写体を、二重拡散板１６により短い距離でも充分に拡散した光で照射することができ、撮影画像として美しい顔画像を取得することができる。
【０１１０】
また、撮影筐体３に設けた照明部１４は、一重拡散板１５を周囲に配置したため、上半身撮影に比べてデジタルカメラ１８から遠距離で全身撮影する被写体を、一重拡散板１５により適度に拡散した光で照射することができ、充分に光が行き届いて明るく美しい全身画像を撮影画像として取得することができる。
【０１１１】
また、直接光ストロボ３４，３５，３６，６１，６６と反射光ストロボ３３，３７とを備えているため、鼻筋などの光を当てたい部分に拡散した直接光を当てることや、全体的に拡散した反射光を当てることができる。これにより、全体的に明るい撮影画像を取得する、鼻筋などに光を当てて立体感のある撮影画像を取得する、あるいは全体的に明るく、かつ立体感のある撮影画像を取得するといったことができる。
【０１１２】
また、天井中央照明ボックス４を備えているため、撮影空間９内の中間位置、つまり上半身撮影を行う位置は、天井中央照明ボックス４の二重拡散板６２によって拡散したやわらかな光により被写体の鼻筋や髪をふんわりと照射することができる。
【０１１３】
また、天井後方照明ボックス５を備えているため、撮影空間９の後方、とくに従来暗くなりがちであった背景部材８の下方位置を両サイドに渡って明るく照明することができる。
【０１１４】
また、二重拡散板１６，６２、および二重配置した拡散板６７，６８は、二重配置される拡散板間に空間が設けられているため、光の拡散角度を大きくすることができる。
【０１１５】
また、天井中央照明ボックス４、天井後方照明ボックス５、上方照明ボックス１１、中央照明ボックス１２、および下方照明ボックス１３により、多人数向けの広い撮影空間９で多人数での撮影を行う場合であっても、被写体全員と撮影空間９内全体とに均一に光を照射することができる。
【０１１６】
また、仮に撮影空間の左右にストロボを配置した場合であれば、多人数撮影において側面ぎりぎりの被写体を強く照射してしまい、また両側間に影を作ってしまうが、この実施形態ではストロボ配置を天井としたので、このような問題を回避できる。
【０１１７】
また、部位によって拡散力を異ならせる構成として、二重構造の拡散板と一重構造の拡散板とを組み合わせる構成にしたため、被写体への照射を微妙に調節することができ、拡散板自体の厚みを部位に応じて変化させるよりも低コストに製造できる。
【０１１８】
また、撮影空間９にポーズ台８０を備え、撮影画像におけるポーズ台８０の位置と背景画像との位置調整をしてデジタルカメラ１８を備えているため、利用者は様々なポーズで多種多様な合成画像を得ることができる。  
例えば、図３２（Ａ）の斜視図に示すように、利用者Ｍ６，Ｍ７が４段目部８８（図１０参照）にしゃがみこみ、ポーズ台８０の腰掛部８２に腕組みした腕を乗せてその上に顎を乗せると、デジタルカメラ１８（図２参照）で撮影している撮影画像は、図示するように利用者の上半身（腕組みした腕から上）だけが写り、他の部分はポーズ台８０に隠れる。
【０１１９】
一方、写真シール作成機１の画像データ保持部１３３には、図３２（Ｂ）に示す背景画像（合成元画像）Ｇが記憶されている。この背景画像Ｇは、前記ポーズ台８０の撮影画像における高さＨ１と同じ高さＨ２に、台になるようなオブジェクトとして風呂桶の縁が位置合わせされて構成されている。
【０１２０】
従って、この背景画像Ｇに図３２（Ａ）の撮影画像をクロマキー合成すると、図３２（Ｃ）に示すように自然な合成画像が出来上がる。つまり、利用者はポーズ台８０の腰掛部８２に腕を乗せていたが、この腰掛部８２の位置に背景画像の風呂桶の縁が位置しているため、あたかも利用者Ｍ６，Ｍ７が風呂に入って風呂桶の縁に腕を乗せてくつろいでいるような合成画像を容易に作成できる。なお、撮影の際のライブビュー表示でも合成画像を動画表示することで、利用者が合成画像の仕上がりを確認しつつポーズを取れるようにしている。
【０１２１】
また、他の例として、図３３（Ａ）に示すように、腰掛部８２に横向きで腰掛けた状態で利用者Ｍ８，Ｍ９を撮影し、図３３（Ｂ）に示すメリーゴーランドの馬を表示する背景画像Ｇと合成すれば、図３３（Ｃ）に示すように、あたかもメリーゴーランドの馬に乗っているような合成画像を容易に作成できる。このとき、利用者Ｍ８，Ｍ９の身体のうち、腰掛部８２の向こう側に存在する左足は腰掛部８２で隠れてクロマキー合成の際に消えるため、メリーゴーランドの馬の向こう側にあるべき左足が誤って写ってしまうことがなく、背景画像に合成するのに適した撮影画像を得ることができ、自然な合成画像を容易に作成することができる。
【０１２２】
なお、撮影画像におけるポーズ台８０の位置調整は、デジタルカメラ１８の現実の取り付け位置と取り付け角度で調整してもよいが、ソフトウェア処理によって位置調整してもよい。このソフトウェア処理による位置調整は、撮影画像の拡大、縮小、位置移動によって調整することができる。また逆に、背景画像を拡大、縮小、位置移動することで位置調整してもよい。背景画像で位置調整するためには、背景画像の端が切れてしまわないように、デフォルト位置の印刷範囲よりも背景画像を大きく構成すればよい。これにより、背景画像の一部を印刷範囲として撮影画像と合成することができるため、印刷範囲を背景画像上で移動させることで背景画像の位置調整を容易に行え、かつ移動による背景画像の端切れも防止できる。
【０１２３】
また、この位置調整は、写真シール作成機１をメンテナンスモードなどにして係員が調整することで行っても良い。これにより、仮にポーズ台８０とデジタルカメラ１８の位置関係がずれた場合でも、係員が容易に位置調整を行うことができる。
【０１２４】
また、適宜の装飾が施された撮影空間９を無人の状況等で撮影し、この撮影画像をコンテンツに加えることで、リアルな写真を合成することができ、また天井中央照明ボックス４、天井後方照明ボックス５、上方照明ボックス１１、中央照明ボックス１２、および下方照明ボックス１３によって装飾をやわらかく照明して美しく撮影することができる。
【０１２５】
この発明の構成と、上述の実施形態との対応において、
この発明の写真撮影編集装置は、実施形態の写真シール作成装置１に対応し、
以下同様に、
照明手段は、天井中央照明ボックス４、天井後方照明ボックス５、上方照明ボックス１１、中央照明ボックス１２、および下方照明ボックス１３に対応し、
拡散力の弱い部位は、一重拡散板１５に対応し、
拡散体は、一重拡散板１５、二重拡散板１６，６２、および拡散板６７，６８に対応し、
複数枚の拡散板および拡散力の強い部位は、二重拡散板１６，６２、および拡散板６７，６８に対応し、
撮影手段は、デジタルカメラ１８および撮影部１４２に対応し、
ストロボ発光体は、反射光ストロボ３３，３７、直接光ストロボ３４，６１，６６に対応し、
所定の空間は、空間５２に対応し、
編集手段は、操作ペン７１、液晶パネル７２、および編集部１４４に対応し、
出力手段は、印刷部１４６に対応し、
被写体は、利用者Ｍ１〜Ｍ３に対応するも、
この発明は、上述の実施形態の構成のみに限定されるものではなく、多くの実施の形態を得ることができる。
【図面の簡単な説明】
【０１２６】
【図１】写真シール作成装置の外観斜視図。
【図２】写真シール作成装置の概略側面図。
【図３】写真シール作成装置の概略平面図。
【図４】撮影筐体の正面図。
【図５】撮影筐体の縦断正面図。
【図６】照明部の概略正面図。
【図７】拡散板の説明図。
【図８】照明部のＡ−Ａ矢視拡大断面図。
【図９】照明部のＢ−Ｂ矢視拡大断面図。
【図１０】撮影空間の斜視図。
【図１１】撮影空間の平面図。
【図１２】デジタルカメラ近傍の拡大正面図。
【図１３】デジタルカメラ近傍の拡大縦断側面図。
【図１４】天井照明ボックス近傍の説明図。
【図１５】編集筐体の説明図。
【図１６】写真シール作成装置の構成を示すブロック図。
【図１７】写真シール作成装置の撮影部の構成を示すブロック図。
【図１８】制御部が実行する全体動作のフローチャート。
【図１９】編集画面の画面イメージ図。
【図２０】撮影処理にて制御部が実行する動作のフローチャート。
【図２１】撮影処理にて液晶パネルに表示する画面の説明図。
【図２２】撮影処理にて液晶パネルに表示する画面の説明図。
【図２３】撮影処理にて液晶パネルに表示する画面の説明図。
【図２４】撮影処理にて液晶パネルに表示する画面の説明図。
【図２５】移動案内処理にて制御部が実行する動作のフローチャート。
【図２６】移動案内処理にて液晶パネルに表示する画面の説明図。
【図２７】印刷処理および事後接客処理で制御部が実行する動作のフローチャート。
【図２８】印刷処理および事後接客処理で液晶パネルに表示する画面の説明図。
【図２９】印刷処理および事後接客処理で液晶パネルに表示する画面の説明図。
【図３０】印刷処理および事後接客処理で液晶パネルに表示する画面の説明図。
【図３１】印刷処理および事後接客処理で液晶パネルに表示する画面の説明図。
【図３２】編集画像の説明図。
【図３３】編集画像の説明図。
【符号の説明】
【０１２７】
１…写真シール作成装置
４…天井中央照明ボックス
５…天井後方照明ボックス
９…撮影空間
１１…上方照明ボックス
１２…中央照明ボックス
１３…下方照明ボックス
１５…一重拡散板
１６，６２…二重拡散板
１８…デジタルカメラ
３３，３７…反射光ストロボ
３４，６１，６６…直接光ストロボ
５２…空間
６７，６８…拡散板
７１…操作ペン
７２…液晶パネル
１４２…撮影部
１４４…編集部
１４６…印刷部
Ｍ１〜Ｍ９…利用者
【図１】
0004640156.tif 000002
【図２】
0004640156.tif 000003
【図３】
0004640156.tif 000004
【図４】
0004640156.tif 000005
【図５】
0004640156.tif 000006
【図６】
0004640156.tif 000007
【図７】
0004640156.tif 000008
【図８】
0004640156.tif 000009
【図９】
0004640156.tif 000010
【図１０】
0004640156.tif 000011
【図１１】
0004640156.tif 000012
【図１２】
0004640156.tif 000013
【図１３】
0004640156.tif 000014
【図１４】
0004640156.tif 000015
【図１５】
0004640156.tif 000016
【図１６】
0004640156.tif 000017
【図１７】
0004640156.tif 000018
【図１８】
0004640156.tif 000019
【図１９】
0004640156.tif 000020
【図２０】
0004640156.tif 000021
【図２１】
0004640156.tif 000022
【図２２】
0004640156.tif 000023
【図２３】
0004640156.tif 000024
【図２４】
0004640156.tif 000025
【図２５】
0004640156.tif 000026
【図２６】
0004640156.tif 000027
【図２７】
0004640156.tif 000028
【図２８】
0004640156.tif 000029
【図２９】
0004640156.tif 000030
【図３０】
0004640156.tif 000031
【図３１】
0004640156.tif 000032
【図３２】
0004640156.tif 000033
【図３３】
0004640156.tif 000034